【手続補正書】
【提出日】平成28年1月28日(2016.1.28)
【手続補正１】
【補正対象書類名】明細書
【補正対象項目名】０１２５
【補正方法】変更
【補正の内容】
【０１２５】
2015513477.tif 000001
本発明の実施態様の一部を以下の項目［１］−［２１］に記載する。
［１］
第１ポリエステル表面及び第２ポリエステル表面を備える基材と、
該第１ポリエステル表面上にコーティングされた、架橋されたポリウレタン系プライマーと、
該架橋されたポリウレタン系プライマーに隣接する光学的に透明な加熱活性化された接着剤と、を含む、物品。
［２］
前記架橋されたポリウレタン系プライマーが、ポリウレタン系分散物と架橋剤との反応生成物を含む、項目１に記載の物品。
［３］
前記架橋されたポリウレタン系プライマーが、ポリウレタン系、ポリエステル系ポリウレタン、ポリカーボネート系ポリウレタンプライマー、又はこれらの組み合わせを含む、項目１に記載の物品。
［４］
前記架橋されたポリウレタン系プライマーが、脂肪族ポリウレタン系又は脂肪族ポリエステル系ポリウレタンプライマーを含む、項目１に記載の物品。
［５］
前記架橋剤が、脂肪族ジイソシアネート、ブロックイソシアネート、メラミンホルムアルデヒド架橋剤、又はこれらの組み合わせを含む、項目２に記載の物品。
［６］
前記基材が多層基材を含む、項目１に記載の物品。
［７］
前記基材が配向フィルムを含む、項目１に記載の物品。
［８］
前記光学的に透明な加熱活性化された接着剤が、ポリアクリレートホットメルト接着剤、ポリビニルブチラール、エチレンビニルアセテート、アイオノマー、ポリオレフィン、又はこれらの組み合わせを含む、項目１に記載の物品。
［９］
前記第２ポリエステル表面上にコーティングされた、架橋されたポリウレタン系プライマーを更に含む、項目１に記載の物品。
［１０］
前記第２ポリエステル表面上の前記架橋されたポリウレタン系プライマーに隣接する層を更に含み、該層が、光学的に透明な加熱活性化された接着剤層、硬化したアクリレート層、又は感圧性接着剤層を含む、項目１に記載の物品。
［１１］
第１ポリエステル表面及び第２ポリエステル表面を備える基材と、
該第１及び第２ポリエステル表面上にコーティングされた架橋されたポリウレタン系プライマーと、
該第１ポリエステル表面上の該架橋されたポリウレタン系プライマーに隣接する感圧性接着剤層と、を含む、物品。
［１２］
第１主面及び第２主面を備える第１グレージング基材と、
該第１グレージング基材の第１主面に接着されるフィルム物品を備える積層構成体であって、前記フィルム物品が
第１ポリエステル表面及び第２ポリエステル表面を備える基材と、
該第１ポリエステル表面上にコーティングされた第１の架橋されたポリウレタン系プライマーと、
該第２ポリエステル表面上にコーティングされた第２の架橋されたポリウレタン系プライマーと、
該第１の架橋されたポリウレタン系プライマーに隣接する第１の光学的に透明な加熱活性化された接着剤と、
該第２の架橋されたポリウレタン系プライマーに隣接する層と、を含む、フィルム物品と、
を備える、積層構成体。
［１３］
前記第２の架橋されたポリウレタン系プライマーに隣接する層が、第２の光学的に透明な加熱活性化された接着剤を含み、第１主面及び第２主面を備える第２グレージング基材であって、該第２グレージング基材の該第１主面が前記第２の光学的に透明な加熱活性化された接着剤に接着されている第２グレージング基材を更に含み、それにより、前記フィルム物品が中間層物品を備え、前記第１グレージング基材、該中間層物品、及び前記第２グレージング基材がサンドイッチ構成を形成する、項目１２に記載の積層構成体。
［１４］
第１ポリエステル表面及び第２ポリエステル表面を備える基材を準備する工程と、
前記第１ポリエステル表面又は
前記基材の前記第２ポリエステル表面の少なくとも一方に硬化性プライマー組成物を適用する工程であって、該硬化性プライマー組成物が、
ポリウレタン系分散物と、架橋剤と、を含む工程と、
該硬化性プライマー組成物を乾燥する工程と、
該基材及び該硬化性プライマー組成物を伸張しながら加熱し、
該伸張したポリエステル表面上に架橋されたプライマー層を形成する工程と、
該架橋されたプライマー層上に光学的に透明な加熱活性化された接着剤を適用し、
光学的に透明な加熱活性化された接着剤層を形成する工程と、を含む、物品の製造方法。
［１５］
前記硬化性プライマー組成物が、前記基材の前記第１及び第２ポリエステル表面にコーティングされ、第１及び第２の硬化したプライマー層を形成する、項目１４に記載の方法。
［１６］
前記伸張しながら加熱する工程が、少なくとも一方向に伸張する工程を含む、項目１４に記載の方法。
［１７］
前記伸張する工程が、２軸方向に伸張する工程を含む、項目１６に記載の方法。
［１８］
第２の光学的に透明な加熱活性化された接着剤を前記第２の硬化したプライマー層に適用し、第２の光学的に透明な加熱活性化された接着剤層を形成する工程を更に含む、項目１５に記載の方法。
［１９］
硬化性材料を前記第２の硬化したプライマー層に適用して硬化し、前記第２の硬化したプライマー層に隣接する硬化した層を形成する工程を更に含む、項目１５に記載の方法。
［２０］
前記硬化した層が、ハードコート及び／又は光学層を含む、項目１９に記載の方法。
［２１］
感圧性接着剤材料を前記第２の硬化したプライマー層に適用し、前記第２の硬化したプライマー層に隣接する感圧性接着剤層を形成する工程を更に含む、項目１５に記載の方法。
【手続補正２】
【補正対象書類名】特許請求の範囲
【補正対象項目名】全文
【補正方法】変更
【補正の内容】
【特許請求の範囲】
【請求項１】
第１ポリエステル表面及び第２ポリエステル表面を備える基材と、
該第１ポリエステル表面上にコーティングされた、架橋されたポリウレタン系プライマーと、
該架橋されたポリウレタン系プライマーに隣接する光学的に透明な加熱活性化された接着剤と、を含む、物品。
【請求項２】
第１主面及び第２主面を備える第１グレージング基材と、
該第１グレージング基材の第１主面に接着されるフィルム物品
を備える積層構成体であって、
前記フィルム物品が
第１ポリエステル表面及び第２ポリエステル表面を備える基材と、
該第１ポリエステル表面上にコーティングされた第１の架橋されたポリウレタン系プライマーと、
該第２ポリエステル表面上にコーティングされた第２の架橋されたポリウレタン系プライマーと、
該第１の架橋されたポリウレタン系プライマーに隣接する第１の光学的に透明な加熱活性化された接着剤と、
該第２の架橋されたポリウレタン系プライマーに隣接する層と、
を含む、積層構成体。
【請求項３】
第１ポリエステル表面及び第２ポリエステル表面を備える基材を準備する工程と、
前記基材の前記第１ポリエステル表面又は前記第２ポリエステル表面の少なくとも一方に硬化性プライマー組成物を適用する工程であって、該硬化性プライマー組成物が、ポリウレタン系分散物と、架橋剤と、を含む工程と、
該硬化性プライマー組成物を乾燥する工程と、
該基材及び該硬化性プライマー組成物を伸張しながら加熱し、該伸張したポリエステル表面上に架橋されたプライマー層を形成する工程と、
該架橋されたプライマー層上に光学的に透明な加熱活性化された接着剤を適用し、光学的に透明な加熱活性化された接着剤層を形成する工程と、
を含む、物品の製造方法。